(57)【要約】【課題】コネクタハウジングの前端からランスまでの距離が異なる場合であっても、別々に専用治具を用意しないで対応できる端子抜き取り治具を提供する。【解決手段】解除ピン１２を備える治具本体１０と、治具本体に着脱可能に装着されるアタッチメント３０とを備える。アタッチメント３０は、解除ピン１２の挿入規制用の段部１６を露出させる第１位置（後側位置）と、解除ピンの段部１６を隠す第２位置（前側位置）とに移動可能で、コネクタハウジングに解除ピンを挿入した際に、コネクタハウジングの前端に突き当たる部分を、段部にするかアタッチメントの前端にするかで、解除ピンの挿入深さを変える。【選択図】図１
2019114363.tif 000002
【特許請求の範囲】
【請求項１】
コネクタハウジングの内部に収容されてランスにより係止された端子を抜き取るために、前記コネクタハウジングの前方から前記ランスに向けて挿入され、先端で前記ランスによる端子の係止を解除する解除ピンと、前記解除ピンの長さ方向の途中に、該解除ピンの前記コネクタハウジングへの挿入時に前記コネクタハウジングに当たることで前記解除ピンの先端の前記コネクタハウジング内への挿入深さを規制する挿入規制部と、を有する治具本体と、
前記治具本体に着脱可能に且つ前記治具本体における第１位置と該第１位置より前記治具本体の先端側に位置する第２位置との間で移動可能に装着され、前記第１位置にあるとき前端が前記解除ピンの挿入規制部と同位置かそれより後方に位置し、前記第２位置にあるとき前端が前記治具本体の挿入規制部より前方に位置し、前記第２位置にある状態で前記解除ピンの先端が前記コネクタハウジングに挿入されたとき、前記前端が前記コネクタハウジングに当たることで前記解除ピンの先端のコネクタハウジング内への挿入深さを規制するアタッチメントと、
前記アタッチメントと前記治具本体との間に設けられ、前記アタッチメントが前記第１位置にあるときおよび前記第２位置にあるとき、該アタッチメントを前記治具本体にそれぞれ係止可能な第１係止手段および第２係止手段と、
を備えることを特徴とする端子抜き取り治具。
【請求項２】
請求項１に記載の端子抜き取り治具であって、
前記アタッチメントが、前記治具本体における前記第２位置よりも前方の第３位置へ移動可能に設けられ、
前記第３位置は、前記アタッチメントが該第３位置にあるときに、該アタッチメントの内部に前記解除ピンの先端を収容する位置として設定され、
さらに前記アタッチメントと前記治具本体の間に、前記アタッチメントが前記第３位置にあるとき、該アタッチメントを前記治具本体に係止可能な第３係止手段が設けられている、
ことを特徴とする端子抜き取り治具。
【発明の詳細な説明】
【技術分野】
【０００１】
本発明は、コネクタハウジングに収容されてランスにより係止された端子を抜き取る際に、ランスによる端子の係止を解除するための端子抜き取り治具に関するものである。
【背景技術】
【０００２】
一般に、自動車のワイヤーハーネスの接続には、樹脂製のコネクタハウジングの内部に、金属製の端子を組み込んで構成したコネクタが用いられている。この種のコネクタは、コネクタハウジングの端子収容室に、電線の先端に取り付けた端子を後方から挿入し、端子収容室に設けられた可撓性のランスにより、端子を後方へ抜け止めした構造をなしている。
【０００３】
ところで、このようなコネクタにおいて、いったん組み込んだ端子を後で抜く必要が生じることがある。その場合、例えば、コネクタハウジングの前方から端子抜き取り治具の解除ピンの先端を挿入して、ランスによる端子の係止を解除し、その状態で、電線を後方へ引く。そうすることで、コネクタハウジングの端子収容室から端子を抜き取ることが行われている（特許文献１参照）。
【先行技術文献】
【特許文献】
【０００４】
【特許文献１】特許第３９７６７３７号公報
【発明の概要】
【発明が解決しようとする課題】
【０００５】
ところが、コネクタによって、あるいは、同じコネクタであっても端子の配された位置によって、コネクタハウジングの前端からランスまでの距離が異なる場合がある。例えば、前部にフロントホルダが取り付けられたコネクタハウジングの場合、フロントホルダに凸部のある箇所とない箇所とでコネクタハウジング（この場合、フロントホルダ）の前端からランスまでの距離が異なることがある。
【０００６】
そのような場合、従来では一般的に、解除ピンの先端の長さの異なる端子抜き取り治具を個別に専用治具として用意していた。なお、解除ピンの先端の長さが合わない抜き取り治具を用いて端子の係止を解除しようとした場合、解除ピンの先端を過度に奥まで挿入してしまうことがあり、そうした場合、解除ピンが変形したりランスを傷つけたりするおそれがある。
【０００７】
本発明は、上述した事情に鑑みてなされたものであり、その目的は、コネクタハウジングの前端からランスまでの距離が異なる場合であっても、別々に専用治具を用意しなくてよく、ランスを傷つけたり解除ピンを変形させたりするおそれのない端子の抜き取り治具を提供することにある。
【課題を解決するための手段】
【０００８】
前述した目的を達成するために、本発明に係る端子抜き取り治具は、下記（１）、（２）を特徴としている。
（１）
コネクタハウジングの内部に収容されてランスにより係止された端子を抜き取るために、前記コネクタハウジングの前方から前記ランスに向けて挿入され、先端で前記ランスによる端子の係止を解除する解除ピンと、前記解除ピンの長さ方向の途中に、該解除ピンの前記コネクタハウジングへの挿入時に前記コネクタハウジングに当たることで前記解除ピンの先端の前記コネクタハウジング内への挿入深さを規制する挿入規制部と、を有する治具本体と、
前記治具本体に着脱可能に且つ前記治具本体における第１位置と該第１位置より前記治具本体の先端側に位置する第２位置との間で移動可能に装着され、前記第１位置にあるとき前端が前記解除ピンの挿入規制部と同位置かそれより後方に位置し、前記第２位置にあるとき前端が前記治具本体の挿入規制部より前方に位置し、前記第２位置にある状態で前記解除ピンの先端が前記コネクタハウジングに挿入されたとき、前記前端が前記コネクタハウジングに当たることで前記解除ピンの先端のコネクタハウジング内への挿入深さを規制するアタッチメントと、
前記アタッチメントと前記治具本体との間に設けられ、前記アタッチメントが前記第１位置にあるときおよび前記第２位置にあるとき、該アタッチメントを前記治具本体にそれぞれ係止可能な第１係止手段および第２係止手段と、
を備えることを特徴とする端子抜き取り治具。
（２）
上記（１）に記載の端子抜き取り治具であって、
前記アタッチメントが、前記治具本体における前記第２位置よりも前方の第３位置へ移動可能に設けられ、
前記第３位置は、前記アタッチメントが該第３位置にあるときに、該アタッチメントの内部に前記解除ピンの先端を収容する位置として設定され、
さらに前記アタッチメントと前記治具本体の間に、前記アタッチメントが前記第３位置にあるとき、該アタッチメントを前記治具本体に係止可能な第３係止手段が設けられている、
ことを特徴とする端子抜き取り治具。
【０００９】
上記（１）の構成の端子抜き取り治具によれば、治具本体に装着したアタッチメントの位置を切り換えることによって、解除ピンの先端の有効長さ（つまり、コネクタハウジング内へ挿入できる長さ）を変えることができる。例えば、アタッチメントを治具本体に対して第１位置（後方位置）に移動すれば、解除ピンの挿入規制部を、アタッチメントの前端から露出させることができる。従って、その状態で解除ピンの先端をコネクタハウジングに挿入すれば、解除ピンの挿入規制部が、直接コネクタハウジングの前端に当たることによって、解除ピンの挿入深さが規制される。この場合は、次のアタッチメントを第２位置に移動した場合よりも、挿入深さを大きくすることができる。
また、アタッチメントを第２位置に移動すれば、解除ピンの挿入規制部がアタッチメントの内部に隠れる。従って、その状態で解除ピンの先端をコネクタハウジングに挿入すれば、アタッチメントの前端がコネクタハウジングの前端に当たることによって、解除ピンの挿入深さが規制される。この場合は、解除ピンの挿入規制部よりもアタッチメントの前端が前方にあるので、解除ピンの挿入深さを小さくすることができる。
このように、コネクタハウジングの前端からランスまでの距離が異なる場合であっても、アタッチメントの位置の切り換えにより、解除ピンの先端のコネクタハウジング内への挿入深さを適正値に管理することができる。その結果、挿入深さの違いに応じた専用治具を個別に用意しなくても、解除ピンを変形させたりランスを傷めたりすることなく、ランスによる端子の係止を解除することができる。
上記（２）の構成の端子抜き取り治具によれば、アタッチメントを第３位置に位置させることで、解除ピンの先端をアタッチメントの内部に収容することができ、しかも第３係止手段により、アタッチメントをその位置に保持しておくことができる。従って、解除ピンの先端を保護キャップなどで覆わなくても、アタッチメントで保護キャップの代わりをすることができ、安全確保が図れる。
【発明の効果】
【００１０】
本発明によれば、コネクタハウジングの前端からランスまでの距離が異なる場合であっても、アタッチメントの位置の切り換えにより、解除ピンの先端のコネクタハウジング内への挿入深さを適正値に管理することができる。その結果、専用治具を用意しなくても、解除ピンを変形させたりランスを傷めたりすることなく、ランスによる端子の係止を解除することができる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１（ａ）、（ｂ）は、本発明の第１実施形態の端子抜き取り治具の説明図で、図１（ａ）は、アタッチメントを治具本体に装着する前の状態を示す斜視図、図１（ｂ）は、アタッチメントを治具本体に装着した後の状態を示す斜視図である。
【図２】図２（ａ）〜（ｃ）は、第１実施形態におけるアタッチメントの構成図で、図２（ａ）は斜視図、図２（ｂ）は正面図、図２（ｃ）は、図２（ｂ）のＡ−Ａ矢視断面図である。
【図３】図３は、第１実施形態の端子抜き取り治具による端子抜き取り対象のコネクタの前方から見た斜視図である。
【図４】図４（ａ）〜（ｃ）は、第１実施形態の端子抜き取り治具による端子抜き取り対象のコネクタの構成図で、図４（ａ）は正面図、図４（ｂ）は図４（ａ）のショート端子のある部分の拡大図、図４（ｃ）は図４（ａ）のショート端子のない部分の拡大図である。
【図５】図５（ａ）、（ｂ）は、第１実施形態の端子抜き取り治具による端子抜き取り対象のコネクタと端子抜き取り治具の説明図で、図５（ａ）は、図４（ａ）のＢ−Ｂ矢視断面図（ショート端子のある位置での断面図）、図５（ｂ）は、図５（ａ）の断面の中にある端子（ショート端子の上側に位置する端子）を抜き取るためにアタッチメントの位置を第１位置（後方位置）にセットした状態を示す実施形態の端子抜き取り治具の斜視図である。
【図６】図６（ａ）、（ｂ）は、第１実施形態の端子抜き取り治具による端子抜き取り対象のコネクタと端子抜き取り治具の説明図で、図６（ａ）は、図４（ａ）のＣ−Ｃ矢視断面図（ショート端子のある位置での断面図）、図６（ｂ）は、図６（ａ）の断面の中にある端子（ショート端子の上側に位置する端子）を抜き取るためにアタッチメントの位置を第２位置（前方位置）にセットした状態を示す実施形態の端子抜き取り治具の斜視図である。
【図７】図７（ａ）、（ｂ）は、治具本体のみでランスの係止を解除する場合の説明図で、図７（ａ）は、フロントホルダの凸部のある位置で端子の係止を解除しようとしている状態を示す側面図、図７（ｂ）は、フロントホルダの凸部のない位置で端子の係止を解除しようとしている状態を示す側面図である。
【図８】図８（ａ）〜（ｃ）は、本発明の第１実施形態の端子抜き取り治具の第１の使用例を説明するための図で、図８（ａ）は、アタッチメントを第１位置（後方位置）に保持した状態を示す側面図、図８（ｂ）は側断面図、図８（ｃ）は、そのとき治具本体の係止孔と係合するのが第１係止凸部であることを示す図である。
【図９】図９（ａ）〜（ｄ）は、本発明の第１実施形態の端子抜き取り治具の第１の使用例を説明するための図で、図９（ａ）は、アタッチメントを第１位置（後方位置）に保持した状態の端子抜き取り治具の斜視図、図９（ｂ）〜（ｄ）は、アタッチメントを第１位置（後方位置）に保持した端子抜き取り治具によって、フロントホルダの凸部のある位置で端子の係止を解除する場合の手順を順に示す側断面図である。
【図１０】図１０（ａ）〜（ｃ）は、図９（ｂ）〜（ｄ）の説明の補助として、第１実施形態の端子抜き取り治具のアタッチメントを第１位置（後方位置）に保持した上でコネクタハウジング内に解除ピンを挿入した状態を示す図で、図１０（ａ）は要部拡大図、図１０（ｂ）は側面図、図１０（ｃ）は上から見た断面図である。
【図１１】図１１（ａ）〜（ｃ）は、本発明の第１実施形態の端子抜き取り治具の第２の使用例を説明するための図で、図１１（ａ）は、アタッチメントを第２位置（前方位置）に保持した状態を示す側面図、図１１（ｂ）は側断面図、図１１（ｃ）は、そのとき治具本体の係止孔と係合するのが第２係止凸部であることを示す図である。
【図１２】図１２（ａ）〜（ｄ）は、本発明の第１実施形態の端子抜き取り治具の第２の使用例を説明するための図で、図１２（ａ）は、アタッチメントを第２位置（前方位置）に保持した状態の端子抜き取り治具の斜視図、図１２（ｂ）〜（ｄ）は、アタッチメントを第２位置（前方位置）に保持した端子抜き取り治具によって、フロントホルダの凸部のない位置で端子の係止を解除する場合の手順を順に示す側断面図である。
【図１３】図１３（ａ）、（ｂ）は、図１２（ｂ）〜（ｄ）の説明の補助として、第１実施形態の端子抜き取り治具のアタッチメントを第２位置（後方位置）に保持した上でコネクタハウジング内に解除ピンを挿入した状態を示す図で、図１３（ａ）は側面図、図１３（ｂ）は上から見た断面図である。
【図１４】図１４（ａ）、（ｂ）は、本発明の第２実施形態の端子抜き取り治具の説明図で、図１４（ａ）は、アタッチメントを治具本体に装着する前の状態を示す斜視図、図１４（ｂ）は、アタッチメントを治具本体に装着した後の状態を示す斜視図である。
【図１５】図１５（ａ）〜（ｃ）は、第２実施形態におけるアタッチメントの構成図で、図１５（ａ）は斜視図、図１５（ｂ）は正面図、図１５（ｃ）は図１５（ｂ）のＤ−Ｄ矢視断面図である。
【図１６】図１６（ａ）〜（ｄ）は、本発明の第２実施形態の端子抜き取り治具のアタッチメントを第１位置（後方位置）に保持した状態を示す図で、図１６（ａ）は斜視図、図１６（ｂ）は側面図、図１６（ｃ）は側断面図、図１６（ｄ）は、そのとき治具本体の係止孔と係合するのが第１係止凸部であることを示す図である。
【図１７】図１７（ａ）〜（ｄ）は、本発明の第２実施形態の端子抜き取り治具のアタッチメントを第２位置（前方位置）に保持した状態を示す図で、図１７（ａ）は斜視図、図１７（ｂ）は側面図、図１７（ｃ）は側断面図、図１７（ｄ）は、そのとき治具本体の係止孔と係合するのが第２係止凸部であることを示す図である。
【図１８】図１８（ａ）〜（ｄ）は、本発明の第２実施形態の端子抜き取り治具のアタッチメントを第３位置（最前方位置）に保持した状態を示す図で、図１８（ａ）は斜視図、図１８（ｂ）は側面図、図１８（ｃ）は側断面図、図１８（ｄ）は、そのとき治具本体の係止孔と係合するのが第３係止凸部であることを示す図である。
【図１９】図１９（ａ）、（ｂ）は、本発明の第２実施形態の端子抜き取り治具のアタッチメントの位置を作業箇所に応じて切り換えた場合の作用説明図で、図１９（ａ）は、アタッチメントを第１位置に保持した上でコネクタハウジング内に解除ピンを挿入した状態を示す側面図、図１９（ｂ）は、アタッチメントを第２位置に保持した上でコネクタハウジング内に解除ピンを挿入した状態を示す側面図である。
【発明を実施するための形態】
【００１３】
本発明に関する具体的な実施形態について、各図を参照しながら以下に説明する。
【００１４】
＜第１実施形態＞
第１実施形態の端子抜き取り治具について、図１〜図７を参照して説明する。
図１（ａ）、（ｂ）は、本発明の第１実施形態の端子抜き取り治具の説明図で、図１（ａ）は、アタッチメントを治具本体に装着する前の状態を示す斜視図、図１（ｂ）は、アタッチメントを治具本体に装着した後の状態を示す斜視図である。また、図２（ａ）〜（ｃ）は、アタッチメントの構成図で、図２（ａ）は斜視図、図２（ｂ）は正面図、図２（ｃ）は、図２（ｂ）のＡ−Ａ矢視断面図である。
【００１５】
図１（ａ）、（ｂ）に示すように、第１実施形態の端子抜き取り治具１は、治具本体１０と、樹脂製のアタッチメント３０と、を備えている。
【００１６】
治具本体１０は、樹脂等で構成された角柱状の保持部１１と、保持部１１の長手方向の一端面（以下、この面を「前端面１９」という）から前方に突き出した解除ピン１２と、を備えている。解除ピン１２は、金属製で、基端部が保持部１１に埋設固定されている。
【００１７】
本実施形態の治具本体１０の解除ピン１２は、１本の棒状体ではなく、２本の帯板状のピン１２Ａ、１２Ｂと、２本のピン１２Ａ、１２Ｂの根元側を繋ぐ横バー１３と、を備えている。そのため、解除ピン１２は、断面略Ｈ形をなしている。２本のピン１２Ａ、１２Ｂは、幅方向を縦に向けて横に並置され、長手方向に沿って互いに平行に延在する。横バー１３は、２本のピン１２Ａ、１２Ｂの根元側の所定長さの範囲を横に繋いでいる。以下においては、２本のピン１２Ａ、１２Ｂも便宜上「解除ピン」という。
【００１８】
２本の解除ピン１２Ａ、１２Ｂは、コネクタハウジング内の１個のランスの両脇に挿入されることで、当該ランスの両側部に設けられた被操作片に解除用の押圧力を付与するものである。このランスを備えた端子抜き取り対象のコネクタについては後述する。
【００１９】
図１（ａ）、（ｂ）に戻ると、帯板状の２本の解除ピン１２Ａ、１２Ｂは、根元側が横バー１３で互いに繋がっているが、先端側は２本に分かれている。各解除ピン１２Ａ、１２Ｂは、根元側の所定長さの範囲が縦幅の大きいピン本体１４として構成され、先端側が、ピン本体１４よりも縦幅の小さい挿入部１５として構成されている。
【００２０】
先端側の挿入部１５の後端と後端側のピン本体１４の前端との境界部には、コネクタハウジング内への解除ピン１２の挿入時に、挿入規制部としてコネクタハウジングの前端に突き当たる段部１６が設けられている。また、挿入部１５の先端１５ａには、例えば、解除ピン１２Ａ、１２Ｂの挿入方向の力を係止解除方向の力としてランス（図示略）に効率良く伝えるための傾斜面が設けられている。
【００２１】
ここで、保持部１１の前端面１９から解除ピン１２Ａ、１２Ｂの先端１５ａまでの長さをＰ１（以下、保持部１１に埋設された部分の長さを無視して、このＰ１を解除ピン１２Ａ、１２Ｂの全長という）とする。また、挿入部１５の長さをＰ２、ピン本体１４の長さをＰ３とする。そうすると、
Ｐ１＝Ｐ２＋Ｐ３
の関係が成立している。
【００２２】
また、保持部１１の前端に近い位置の両側面には、アタッチメント２０の位置決め用の係止孔１８（孔でなく係止凹部であってもよい）が係止手段として設けられている。係止孔１８と保持部１１の前端面１９との間の距離をＰ４とすると、係止孔１８から解除ピン１２Ａ、１２Ｂの段部１６までの長さＰ５は、
Ｐ５＝Ｐ３＋Ｐ４
である。また、係止孔１８から解除ピン１２Ａ、１２Ｂの先端１５ａまでの長さＰ６は、
Ｐ６＝Ｐ１＋Ｐ４
である。
【００２３】
一方、アタッチメント３０は、樹脂の一体成形品で構成されている。このアタッチメント３０は、図２（ａ）〜（ｃ）に示すように、四角ボックス型のアタッチメント本体３１を有している。アタッチメント本体３１は、上板３１ａと下板３１ｂと左右側板３１ｃとを有する四角筒形をなしており、後端面が開放している。アタッチメント本体３１の前部の上面側と下面側には窓部３２が開口している。また、アタッチメント本体３１の前端には、四角柱状のガイド部３３が一体に突設されている。
【００２４】
四角柱状のガイド部３３の断面サイズは、四角筒状のアタッチメント本体３１よりも小さく、ガイド部３３の後端とアタッチメント本体３１の前端との境界には、段部３４が設けられている。アタッチメント本体３１の前部上面側と下面側には窓部３２が開口しているので、段部３４は、左右両側板３１ｃとの境界だけに設けられている。
【００２５】
四角柱状のガイド部３３の内部には、長手方向に沿ってガイド溝３６が形成されている。このガイド溝３６は、ガイド部３３の前端面３５Ａから後端面３５Ｂまで貫通しており、後端がアタッチメント本体３１の内部に連通している。このガイド溝３６には、治具本体１０の解除ピン１２が挿通される。
【００２６】
ガイド溝３６は、断面Ｈ形をなしており、２本の解除ピン１２Ａ、１２Ｂが挿通する縦溝部３７Ａ、３７Ｂと、横バー１３が挿通する横溝部３７Ｃと、を有している。なお、ガイド部３３の前端面３５Ａは、アタッチメント３０の前端面に相当し、単にアタッチメント３０の前端３５Ａということもある。段部３４から前端面３５Ａまでの距離はＱ１に設定されている。また、段部３４からアタッチメント本体３１の後端までの距離はＱ２に設定されている。従って、Ｑ１＋Ｑ２の寸法がアタッチメント３０の全長である。
【００２７】
アタッチメント本体３１の内部空間は、後端開口から、治具本体１０の四角柱状の保持部１１を収容できる大きさの四角断面に形成されている。また、ガイド部３３の内部のガイド溝３６は、アタッチメント本体３１の内部に治具本体１０の保持部１１を収容した際に、解除ピン１２を挿通できるように形成されている。
【００２８】
アタッチメント本体３１の両側板３１ｃの内面には、軸線方向に間隔をあけて第１および第２の２つの係止凸部３８Ａ、３８Ｂが設けられている。２つの係止凸部３８Ａ、３８Ｂは、長手方向に沿った同一直線上に並んでいる。２つの係止凸部３８Ａ、３８Ｂは、治具本体１０の保持部１１の側面に設けられた係止孔１８に選択的に係合する部分であり、係止手段に相当する。
【００２９】
前側の第１の係止凸部３８Ａは、段部３４から距離Ｑ５の位置に配置されている。従って、第１の係止凸部３８Ａは、前端面３５Ａから距離Ｑ１１＝Ｑ１＋Ｑ５の位置にある。後側の第２の係止凸部３８Ｂは、前側の第１の係止凸部３８Ａから距離Ｑ６の位置に配置されている。従って、第２の係止凸部３８Ｂは、前端面３５Ａから距離Ｑ１２＝Ｑ１１＋Ｑ６の位置にある。
【００３０】
治具本体１０側の各寸法とアタッチメント３０側の各寸法を整理すると、次のようになる。
（１）治具本体１０の係止孔１８から解除ピン１２の段部１６までの距離はＰ５である。
（２）治具本体１０の係止孔１８から解除ピン１２の先端１５ａまでの距離はＰ６である。
（３）治具本体１０の解除ピン１２の段部１６から先端１５ａまでの距離はＰ２である。
（４）アタッチメント３０の第１の係止凸部３８Ａから前端面３５Ａまでの距離はＱ１１である。
（５）アタッチメント３０の第２の係止凸部３８Ｂから前端面３５Ａまでの距離はＱ１２である。
（６）アタッチメント３０の第１の係止凸部３８Ａと第２の係止凸部３８Ｂとの間の距離はＱ６である。
【００３１】
そこで、Ｑ１１、Ｑ１２、Ｐ５が次の関係を満たすように設定されている。
Ｑ１１＜Ｐ５＜Ｑ１２    …  （Ａ）
なお、Ｑ１１とＰ５の関係は、Ｑ１１＜Ｐ５であるのが望ましいが、Ｑ１１＝Ｐ５であってもよい。
【００３２】
上記（Ａ）の条件が満たされていることにより、アタッチメント３０が前方に位置して、治具本体１０の係止孔１８にアタッチメント３０の第１の係止凸部３８Ａが係合しているとき、解除ピン１２Ａ、１２Ｂの段部１６は、アタッチメント３０の前端面３５Ａより前側に位置する。つまり、解除ピン１２Ａ、１２Ｂの段部１６が、アタッチメント３０から露出する。
【００３３】
また、アタッチメント３０が後方に位置して、治具本体１０の係止孔１８にアタッチメント３０の第２の係止凸部３８Ｂが係合しているとき、解除ピン１２Ａ、１２Ｂの段部１６は、アタッチメント３０の前端面３５Ａより後側に位置する。つまり、解除ピン１２Ａ、１２Ｂの段部１６が、アタッチメント３０の内部に隠れる。これらの点の詳細については、作用の説明の中で述べる。
【００３４】
次に、実施形態の端子抜き取り治具１による端子抜き取り対象のコネクタについて説明する。
図３は、そのコネクタの前方から見た斜視図である。図４（ａ）〜（ｃ）は、同コネクタの構成図で、図４（ａ）は正面図、図４（ｂ）は図４（ａ）のショート端子のある部分の拡大図、図４（ｃ）は図４（ａ）のショート端子のない部分の拡大図である。また、図５（ａ）、（ｂ）は、同コネクタと端子抜き取り治具の説明図で、図５（ａ）は、図４（ａ）のＢ−Ｂ矢視断面図（ショート端子のある位置での断面図）、図５（ｂ）は、図５（ａ）の断面の中にある端子（ショート端子の上側に位置する端子）を抜き取るためにアタッチメントの位置を第１位置（後方位置）にセットした状態を示す端子抜き取り治具の斜視図である。また、図６（ａ）、（ｂ）は、同コネクタと端子抜き取り治具の説明図で、図６（ａ）は、図４（ａ）のＣ−Ｃ矢視断面図（ショート端子のある位置での断面図）、図６（ｂ）は、図６（ａ）の断面の中にある端子（ショート端子の上側に位置する端子）を抜き取るためにアタッチメントの位置を第２位置（前方位置）にセットした状態を示す実施形態の端子抜き取り治具の斜視図である。
【００３５】
図３、図４、図５（ａ）、図６（ａ）に示すように、このコネクタ２０１は、コネクタハウジング２００の内部に複数の端子２５０を収容固定したものである。コネクタハウジング２００は、コネクタハウジング本体２１０とフロントホルダ２２０とを備える。コネクタハウジング本体２１０には、端子収容室２１２が設けられている。コネクタハウジング２１０には、端子収容室２１２に臨ませてそれぞれランス２１４が設けられている。
【００３６】
端子２５０は、コネクタハウジング本体２１０の後方から端子収容室２１２に挿入され、ランス２１４により後方へ抜け止めされている。フロントホルダ２２０は、前方からコネクタハウジング本体２１０の前部に装着されることで、ランス２１４の撓みを規制する機能を果たす。これにより、端子２５０は、ランス２１４により一次係止され、フロントホルダ２２０により二次係止されることになる。フロントホルダ２２０は、コネクタハウジング本体２１０に装着された際に、ランス２１４の撓みを規制する本係止位置と、その手前でランス２１４の撓みを許容する仮係止位置とに保持可能とされている。
【００３７】
図５（ａ）、図６（ａ）は、フロントホルダ２２０が、ランス２１４の撓みを許容する仮係止位置に保持された状態を示している。この位置から、寸法Ｅだけフロントホルダ２２０をコネクタハウジング本体２１０側に押し込むことで、フロントホルダ２２０はランス２１４の撓みを係止する本係止位置に到達する。
【００３８】
いま、このコネクタ２０１は、特定の２つの端子２５０を短絡させる仕様に設定されており、それを実現するためのショート端子２３０を備えている。ショート端子２３０は、２つの特定の端子２５０に接触することで端子２５０間を短絡しているが、相手コネクタが適正に接続された際に、端子２５０との接触が断たれることで、短絡状態を解除するように設けられている。
【００３９】
図３および図５（ａ）に示すように、フロントホルダ２２０の前部には、このショート端子２３０が設けられた部分に凸部２２２が設けられている。この凸部２２２は、ランス２１４による端子２５０の係止を解除する際に、解除ピン１２の挿入を規制する壁として作用する。つまり、凸部２２２は特定の位置にだけあるので、この凸部２２２のある位置とない位置とで、解除ピン１２の挿入を規制する壁の位置が異なることになる。
【００４０】
そこで、図５（ａ）に示すように、凸部２２２のある位置で端子２５０（ショート端子２３０の上側の端子）の抜き取りを行う場合は、凸部２２２の前面が解除ピン１２の挿入規制壁となるので、凸部２２２の前面の位置を基準に端子抜き取り治具１の形態を整える。つまり、図５（ｂ）に示すように、アタッチメント３０の位置の調整により、解除ピン１２の挿入規制深さをＰ２に設定する。また、図６（ａ）に示すように、凸部２２２のない位置で端子２５０（ショート端子２３０の上側の端子以外の端子）の抜き取りを行う場合は、フロントホルダ２２０の凸部２２２のない位置の前面が解除ピン１２の挿入規制壁となるので、その凸部２２２のない位置のフロントホルダ２２０の前面の位置を基準に端子抜き取り治具１の形態を整える。つまり、図６（ｂ）に示すように、アタッチメント３０の位置の調整により、解除ピン１２の挿入規制深さをＰ７（但しＰ７＜Ｐ２）に設定する。
【００４１】
なお、フロントホルダ２２０やコネクタハウジング２１０には、端子の抜き取り時に、解除ピン１２を挿入するための経路が予め設けられている。図４の拡大図中のＡで示す位置が、２本の解除ピン１２Ａ、１２Ｂの挿入経路の位置である。１個のランス２１４は、両側部に被解除部（図示略）を持つものとして形成されており、これら被解除部に向けて２本の解除ピン１２Ａ、１２Ｂの先端を挿入して、被解除部を押圧変位させることにより、ランス２１４を係止解除位置に変位させることができるようになっている。
【００４２】
＜作用の説明＞
次に本実施形態の端子抜き取り治具１の作用を説明する。
その前にまず、アタッチメントが装着されていない場合の課題について説明する。
図７（ａ）、（ｂ）は、第１実施形態の端子抜き取り治具の比較例の説明図で、図７（ａ）はフロントホルダの凸部のある位置で端子の係止を解除しようとしている状態を示す側面図、図７（ｂ）はフロントホルダの凸部のない位置で端子の係止を解除しようとしている状態を示す側面図である。
【００４３】
＜比較例：アタッチメントを装着していない場合の課題＞
図７に概略構成を示すように、ここで対象とするコネクタ２００のコネクタハウジング本体２１０の前部には、上述したようにフロントホルダ２２０が付いている。フロントホルダ２２０の前面には、所定箇所に凸部２２２が設けられている。いま、この凸部２２２のある位置で端子の係止を解除する場合と、凸部２２２のない位置で端子の係止を解除する場合とで、ランスの係止解除の条件が異なる。
【００４４】
即ち、凸部２２２のある位置で端子の係止を解除する場合は、凸部２２２があるために、端子抜き取り治具の解除ピン１２の挿入深さが、凸部２２２によって規制される。例えば、図７（ａ）に示すように、挿入深さが凸部２２２の前面からＴ２の距離に規制されているとする。その場合は、挿入規制部として機能する解除ピン１２の段部１６から解除ピン１２の先端１５ａまでの距離Ｐ２を、Ｐ２＝Ｔ２と設定する。
【００４５】
こうすることで、解除ピン１２の先端１５ａをコネクタ２００に挿入したとき、解除ピン１２の段部１６がフロントホルダ２２０（コネクタハウジング）の凸部２２２の前面に突き当たる。それにより、解除ピン１２の先端１５ａの挿入深さをＴ２（＝Ｐ２）に規制することができる。そのため、過度に奥側に解除ピン１２の先端１５ａが挿入してしまい、その結果、ランス等を傷めたり、解除ピン１２の先端側を変形させたりするおそれがない。
【００４６】
一方、フロントホルダ２２０の凸部２２２のない位置で端子の係止を解除しようとした場合について説明する。その場合、図７（ｂ）に示すように、フロントホルダ２２０の凸部２２２のない位置の前面からの解除ピン１２の挿入深さが、Ｔ２より小さいＴ１に規制されているものとする。しかし、解除ピン１２を挿入した際に、段部１６の突き当たる部分（凸部２２２）がない。そのために、解除ピン１２の先端１５ａがランスに到達していても、段部１６とフロントホルダ２２０との間に隙間Ｄがあいてしまい、解除ピン１２の先端１５ａを過度に奥側に挿入してしまう可能性がある。その結果、解除ピン１２の先端１５ａでランス等を傷めたり、解除ピン１２の先端側を変形させたりするおそれがある。
【００４７】
＜第１実施形態：アタッチメントを装着した場合の作用＞
この点、治具本体１０にアタッチメント３０を装着することで、前述した両方の場合（即ち、フロントホルダ２２０の凸部２２２のある位置で端子の係止を外す場合と、フロントホルダ２２０の凸部２２２のない位置で端子の係止を外す場合）に容易に対応することができる。
【００４８】
第１実施形態の端子抜き取り治具１を用いて端子抜き取り作業を行う場合は、まず、図１（ｂ）に示すように、治具本体１０にアタッチメント３０を装着する。即ち、アタッチメント３０のガイド部３３のガイド溝３６に解除ピン１２を挿通させながら、治具本体１０の保持部１１をアタッチメント本体３１の内部に収容する。
【００４９】
この状態で、アタッチメント３０は治具本体１０に対して長手方向に相対移動可能に装着されている。
そこで、まず、フロントホルダ２２０の凸部２２２のある位置で端子の係止を外す場合に備えて、アタッチメント３０を後側の第１位置に移動して保持する。図１（ｂ）は、その状態を示している。
【００５０】
図８（ａ）〜（ｃ）は、端子抜き取り治具１のアタッチメント３０を第１位置（後方位置）に保持した状態を示す側面図、（ｂ）は側断面図、（ｃ）はそのとき治具本体１０の係止孔１８と係合するのが第１係止凸部３８Ａであることを示す図である。
【００５１】
アタッチメント３０を治具本体１０に対して後側の第１位置に移動（矢印Ｓ１方向への移動）すると、図８（ａ）〜（ｃ）に示すように、アタッチメント３０の前側の第１の係止凸部３８Ａが治具本体１０の係止孔１８に係合する。これにより、治具本体１０とアタッチメント３０が第１位置に保持される。
【００５２】
この第１位置に保持されているとき、上述した（Ａ）の条件（Ｑ１１＜Ｐ５）が満たされていることにより、解除ピン１２Ａ、１２Ｂの段部１６が、アタッチメント３０の前端面３５Ａより前側に位置する。つまり、解除ピン１２Ａ、１２Ｂの段部１６が、アタッチメント３０から露出する。
【００５３】
図９（ａ）〜（ｄ）は、端子抜き取り治具１の第１の使用例を説明するための図で、図９（ａ）は、アタッチメント３０を第１位置（後方位置）に保持した状態の端子抜き取り治具１の斜視図、図９（ｂ）〜（ｄ）は、アタッチメント３０を第１位置（後方位置）に保持した端子抜き取り治具１によって、フロントホルダ２２０の凸部２２２のある位置で端子２５０の係止を解除する場合の手順を順に示す側断面図である。図１０（ａ）〜（ｃ）は、図９（ｂ）〜（ｄ）の説明の補助として、端子抜き取り治具１のアタッチメント３０を第１位置（後方位置）に保持した上でコネクタハウジング２００内に解除ピン１２を挿入した状態を示す図で、図１０（ａ）は要部拡大図、図１０（ｂ）は側面図、図１０（ｃ）は上から見た断面図である。
【００５４】
フロントホルダ２２０の凸部２２２のある位置での端子の係止解除を行う場合は、図９（ａ）に示すように、アタッチメント３０を第１位置（後方位置）に保持した端子抜き取り治具１を用いて行う。即ち、図９（ｂ）〜（ｄ）および図１０（ａ）〜（ｃ）に示すように、解除ピン１２（１２Ａ、１２Ｂ）の先端１５ａを、コネクタハウジング（フロントホルダを通してハウジング本体）の内部に挿入する。そうすると、解除ピン１２の段部１６が、フロントホルダ２２０の凸部２２２の前面に突き当たることで、解除ピン１２Ａ、１２Ｂの先端１５ａの挿入深さがＰ２に規制される。そして、挿入深さがＰ２に規制されながら、その挿入深さＰ２に挿入された解除ピン１２Ａ、１２Ｂの先端１５ａによって、ランス２１４〔図５（ａ）参照〕による端子２５０の係止解除が行われる。
【００５５】
次に、フロントホルダ２２０の凸部２２２のない位置で端子の係止を外す場合は、アタッチメント３０を前側の第２位置に移動して保持する。
【００５６】
図１１（ａ）〜（ｃ）は、端子抜き取り治具１のアタッチメント３０を第２位置（前方位置）に保持した状態を示す側面図、（ｂ）は側断面図、（ｃ）はそのとき治具本体１０の係止孔１８と係合するのが第２係止凸部２８Ｂであることを示す図である。
【００５７】
アタッチメント３０を治具本体１０に対して前側の第２位置に移動（矢印Ｓ２方向への移動）すると、図１１（ａ）〜（ｃ）に示すように、アタッチメント３０の後側の第２の係止凸部３８Ｂが治具本体１０の係止孔１８に係合する。これにより、治具本体１０とアタッチメント３０は第２位置に保持される。
【００５８】
この第２位置に保持されているとき、上述した（Ａ）の条件（Ｐ５＜Ｑ１２）が満たされていることにより、解除ピン１２Ａ、１２Ｂの段部１６が、アタッチメント３０の前端面３５Ａより後側に位置する。つまり、解除ピン１２Ａ、１２Ｂの段部１６が、アタッチメント３０の内部に収容されて隠れる。
【００５９】
図１２（ａ）〜（ｄ）は、端子抜き取り治具１の第２の使用例を説明するための図で、図１２（ａ）は、アタッチメント３０を第２位置（前方位置）に保持した状態の端子抜き取り治具１の斜視図、図１２（ｂ）〜（ｄ）は、アタッチメント３０を第２位置（前方位置）に保持した端子抜き取り治具１によって、フロントホルダ２２０の凸部２２２のない位置で端子２５０の係止を解除する場合の手順を順に示す側断面図である。図１３（ａ）、（ｂ）は、図１２（ｂ）〜（ｄ）の説明の補助として、端子抜き取り治具１のアタッチメント３０を第２位置（後方位置）に保持した上でコネクタハウジング２００内に解除ピン１２を挿入した状態を示す図で、図１３（ａ）は側面図、図１３（ｂ）は上から見た断面図である。
【００６０】
フロントホルダ２２０の凸部２２２のない位置での端子の係止解除を行う場合は、図１２（ａ）に示すように、アタッチメント３０を第２位置に保持した端子抜き取り治具１を用いて行う。即ち、図１２（ｂ）〜（ｄ）および図１３（ａ）、（ｂ）に示すように、解除ピン１２Ａ、１２Ｂの先端１５ａを、コネクタハウジング２００（フロントホルダ２２０を通してコネクタハウジング本体２１０）の内部に挿入する。そうすると、アタッチメント３０の前端面３５Ａが、フロントホルダ２２０の凸部２２２のない位置の前面に突き当たることで、解除ピン１２Ａ、１２Ｂの先端１５ａの挿入深さがＰ７に規制される。
【００６１】
ここで、寸法Ｐ７は、アタッチメント３０の前端面３５Ａからの解除ピン１２Ａ、１２Ｂの突き出し長さである。この突き出し長さＰ７は、当然Ｐ２より小さく、Ｐ７＝Ｐ６−Ｑ１２である。そして、挿入深さがＰ７に規制されながら、その挿入深さＰ７に挿入された解除ピン１２Ａ、１２Ｂの先端１５ａによって、ランス２１４による端子の係止解除が行われる。
【００６２】
このように、治具本体１０に装着したアタッチメント３０の位置を切り換えることによって、解除ピン１２（１２Ａ、１２Ｂ）の先端の有効長さ（つまりコネクタハウジング内へ挿入できる長さ）を変えることができる。例えば、アタッチメント３０を後側の第１位置に移動すれば、解除ピン１２Ａ、１２Ｂの挿入規制部（段部１６）をコネクタハウジングの前端（フロントホルダ２２０の凸部２２２の前面）に当てることで、解除ピン１２Ａ、１２Ｂの挿入深さを大きくすることができる（挿入深さ＝Ｐ２）。
【００６３】
また、アタッチメント３０を前側の第２位置に移動すれば、アタッチメント３０の前端面３５Ａをコネクタハウジングの前端（フロントホルダ２２０の凸部２２２のない位置の前面）に当てることで、解除ピン１２Ａ、１２Ｂの挿入深さを小さくすることができる（挿入深さ＝Ｐ７＜Ｐ２）。
【００６４】
従って、コネクタハウジングの前端からランスまでの距離が異なる場合でも、アタッチメント３０の位置の切り換えにより、解除ピン１２（１２Ａ、１２Ｂ）の先端のコネクタハウジング内への挿入深さを適正値に管理することができる。その結果、専用治具を用意しなくても、解除ピン１２を変形させたりランスを傷めたりすることなく、ランスによる端子の係止を解除することができる。
【００６５】
＜第２実施形態＞
次に、第２実施形態の端子抜き取り治具について、図１４〜図１９を参照して説明する。
図１４（ａ）、（ｂ）は、本発明の第２実施形態の端子抜き取り治具の説明図で、図１４（ａ）はアタッチメントを治具本体に装着する前の状態を示す斜視図、図１４（ｂ）はアタッチメントを治具本体に装着した後の状態を示す斜視図である。また、図１５（ａ）〜（ｃ）は、第２実施形態におけるアタッチメントの構成図で、図１５（ａ）は斜視図、図１５（ｂ）は正面図、図１５（ｃ）は図１５（ｂ）のＢ−Ｂ矢視断面図である。
【００６６】
図１４および図１５に示すように、この第２実施形態の端子抜き取り治具２と第１実施形態の端子抜き取り治具１との違いは、次の点にある。即ち、アタッチメント５０（アタッチメント本体３１）の長さを延ばして、アタッチメント５０を治具本体１０に対して、第１位置、第２位置、第３位置の３つの位置に移動して保持できるようにした点にある。その他の構成上の違いはないので、違う点のみ説明し、同じ点の説明は省略する。
【００６７】
このアタッチメント５０では、アタッチメント本体３１の長さを第１実施形態のものよりも後側に適当な寸法だけ延ばしている。段部３４からアタッチメント本体３１の後端までの距離はＱ３であり、第１実施形態のアタッチメント３０の寸法Ｑ２をＱ３に延ばした分だけ、アタッチメント５０の全長も延びている。そして、その延長した部分の両側板３１ｃの内面に、前から順番に並んだ第１の係止凸部３８Ａ、第２の係止凸部３８Ｂに加えて、第３の係止凸部３８Ｃを設けている。第３の係止凸部３８Ｃも、前側の２つの係止凸部３８Ａ、３８Ｂと同じ直線上に配置されている。また、第３の係止凸部３８Ｃは、第２の係止凸部３８Ｂから距離Ｑ７の位置に配置されている。従って、第３の係止凸部３８Ｃは、アタッチメント５０の前端面３５Ａから距離Ｑ１３＝Ｑ１２＋Ｑ７の位置にある。
【００６８】
繰り返しになるが、治具本体１０側の各寸法とアタッチメント５０側の各寸法を整理すると、次のようになる。
（１）治具本体１０の係止孔１８から解除ピン１２の段部１６までの距離はＰ５である。
（２）治具本体１０の係止孔１８から解除ピン１２の先端１５ａまでの距離はＰ６である。
（３）治具本体１０の解除ピン１２の段部１６から先端１５ａまでの距離はＰ２である。
（４）アタッチメント５０の第１の係止凸部３８Ａから前端面３５Ａまでの距離はＱ１１である。
（５）アタッチメント５０の第２の係止凸部３８Ｂから前端面３５Ａまでの距離はＱ１２である。
（６）アタッチメント５０の第３の係止凸部３８Ｂから前端面３５Ａまでの距離はＱ１３である。
（７）アタッチメント３０の第１の係止凸部３８Ａと第２の係止凸部３８Ｂとの間の距離はＱ６である。
（８）アタッチメント３０の第２の係止凸部３８Ｂと第３の係止凸部３８Ｃとの間の距離はＱ７である。
【００６９】
ここでは、Ｑ１１、Ｑ１２、Ｑ１３、Ｐ５、Ｐ６が次の関係を満たすように設定されている。
Ｑ１１＜Ｐ５＜Ｑ１２    …  （Ａ）
Ｑ１３＞Ｐ６            …  （Ｂ）
なお、Ｑ１１とＰ５の関係は、Ｑ１１＜Ｐ５であるのが望ましいが、Ｑ１１＝Ｐ５であってもよい。同様に、Ｑ１３とＰ６の関係は、Ｑ１３＞Ｐ６であるのが望ましいが、Ｑ１３＝Ｐ６であってもよい。
【００７０】
第１実施形態の同様に、上記（Ａ）の条件が満たされていることにより、アタッチメント３０が前方に位置して、治具本体１０の係止孔１８にアタッチメント３０の第１の係止凸部３８Ａが係合しているとき、解除ピン１２Ａ、１２Ｂの段部１６は、アタッチメント３０の前端面３５Ａより前側に位置する。つまり、解除ピン１２Ａ、１２Ｂの段部１６が、アタッチメント３０から露出する。
【００７１】
また、第１実施形態と同様に、アタッチメント３０が後方に位置して、治具本体１０の係止孔１８にアタッチメント３０の第２の係止凸部３８Ｂが係合しているとき、解除ピン１２Ａ、１２Ｂの段部１６は、アタッチメント３０の前端面３５Ａより後側に位置する。つまり、解除ピン１２Ａ、１２Ｂの段部１６が、アタッチメント３０の内部に隠れる。
【００７２】
また、上記（Ｂ）の条件が満たされていることにより、アタッチメント３０が更に後方に位置して、治具本体１０の係止孔１８にアタッチメント３０の第３の係止凸部３８Ｃが係合しているとき、解除ピン１２の先端１５ａがアタッチメント３０の前端面３５Ａより後側に位置する。つまり、解除ピン１２の先端１５ａがアタッチメント３０の内部に隠れる。これらの点の詳細については、作用の説明の中で述べる。
【００７３】
＜作用の説明＞
第２実施形態の端子抜き取り治具２を用いて端子抜き取り作業を行う場合も、第１実施形態の端子抜き取り治具１と全く同様の使い方をすることができる。
【００７４】
図１６（ａ）〜（ｄ）は、本発明の第２実施形態の端子抜き取り治具のアタッチメントを第１位置（後方位置）に保持した状態を示す図で、図１６（ａ）は斜視図、図１６（ｂ）は側面図、図１６（ｃ）は側断面図、図１６（ｄ）はそのとき治具本体の係止孔と係合するのが第１係止凸部であることを示す図である。また、図１７（ａ）〜（ｄ）は、本発明の第２実施形態の端子抜き取り治具のアタッチメントを第２位置（前方位置）に保持した状態を示す図で、図１７（ａ）は斜視図、図１７（ｂ）は側面図、図１７（ｃ）は側断面図、図１７（ｄ）はそのとき治具本体の係止孔と係合するのが第２係止凸部であることを示す図である。また、図１９（ａ）、（ｂ）は、本発明の第２実施形態の端子抜き取り治具のアタッチメントの位置を作業箇所に応じて切り換えた場合の作用説明図で、図１９（ａ）はアタッチメントを第１位置に保持した上でコネクタハウジング内に解除ピンを挿入した状態を示す側面図、図１９（ｂ）はアタッチメントを第２位置に保持した上でコネクタハウジング内に解除ピンを挿入した状態を示す側面図である。
【００７５】
まず、フロントホルダ２２０の凸部２２２のある位置で端子の係止を外す場合は、図１６（ａ）〜（ｄ）に示すように、アタッチメント５０を後側の第１位置に移動して保持する。アタッチメント５０を治具本体１０に対して後側の第１位置に移動（矢印Ｓ１方向への移動）すると、アタッチメント５０の前側の第１の係止凸部３８Ａが治具本体１０の係止孔１８に係合する。これにより、治具本体１０とアタッチメント５０は第１位置に保持される。
【００７６】
この第１位置に保持されているとき、上述した（Ａ）の条件（Ｑ１１＜Ｐ５）が満たされていることにより、解除ピン１２Ａ、１２Ｂの段部１６が、アタッチメント５０の前端面３５Ａより前側に位置する。つまり、解除ピン１２Ａ、１２Ｂの段部１６が、アタッチメント５０から露出する。
【００７７】
この第１位置のアタッチメント５０を保持した状態で、図１９（ａ）に示すように、解除ピン１２Ａ、１２Ｂの先端１５ａを、コネクタハウジング（フロントホルダを通してハウジング本体）の内部に挿入する。そうすると、解除ピン１２の段部１６が、フロントホルダ２２０の凸部２２２に突き当たることで、解除ピン１２Ａ、１２Ｂの先端１５ａの挿入深さがＰ２に規制される。そして、挿入深さがＰ２に規制されながら、その挿入深さＰ２に挿入された解除ピン１２Ａ、１２Ｂの先端１５ａによって、ランスによる端子の係止解除が行われる。
【００７８】
次に、フロントホルダ２２０の凸部２２２のない位置で端子の係止を外す場合は、図１７（ａ）〜（ｄ）に示すように、アタッチメント５０を前側の第２位置に移動して保持する。アタッチメント５０を治具本体１０に対して前側の第２位置に移動（矢印Ｓ２方向への移動）すると、アタッチメント５０の後側の第２の係止凸部３８Ｂが治具本体１０の係止孔１８に係合する。これにより、治具本体１０とアタッチメント５０は第２位置に保持される。
【００７９】
この第２位置に保持されているとき、上述した（Ａ）の条件（Ｐ５＜Ｑ１２）が満たされていることにより、解除ピン１２Ａ、１２Ｂの段部１６が、アタッチメント５０の前端面３５Ａより後側に位置する。つまり、解除ピン１２Ａ、１２Ｂの段部１６が、アタッチメント５０の内部に収容されて隠れる。
【００８０】
この第２の位置にアタッチメント５０を保持した状態で、図１９（ｂ）に示すように、解除ピン１２Ａ、１２Ｂの先端１５ａを、コネクタハウジング（フロントホルダを通してハウジング本体）の内部に挿入する。そうすると、アタッチメント５０の前端面３５Ａが、フロントホルダ２２０の凸部２２２のない位置に突き当たることで、解除ピン１２Ａ、１２Ｂの先端１５ａの挿入深さがＰ７に規制される。
【００８１】
ここで、寸法Ｐ７は、アタッチメント５０の前端面３５Ａからの解除ピン１２Ａ、１２Ｂの突き出し長さである。この突き出し長さＰ７は、当然Ｐ２より小さく、Ｐ７＝Ｐ６−Ｑ１２である。そして、挿入深さがＰ７に規制されながら、その挿入深さＰ７に挿入された解除ピン１２Ａ、１２Ｂの先端１５ａによって、ランスによる端子の係止解除が行われる。
【００８２】
このように、治具本体１０に装着したアタッチメント５０の位置を切り換えることによって、解除ピン１２（１２Ａ、１２Ｂ）の先端の有効長さ（つまりコネクタハウジング内へ挿入できる長さ）を変えることができる。例えば、アタッチメント５０を後側の第１位置に移動すれば、解除ピン１２Ａ、１２Ｂの挿入規制部（段部１６）をコネクタハウジングの前端（フロントホルダ２２０の凸部２２２の前面）に当てることで、解除ピン１２Ａ、１２Ｂの挿入深さを大きくすることができる（挿入深さ＝Ｐ２）。
【００８３】
また、アタッチメント５０を前側の第２位置に移動すれば、アタッチメント５０の前端面３５Ａをコネクタハウジングの前端（フロントホルダ２２０の凸部２２２のない位置の前面）に当てることで、解除ピン１２Ａ、１２Ｂの挿入深さを小さくすることができる（挿入深さ＝Ｐ７＜Ｐ２）。
【００８４】
従って、コネクタハウジングの前端からランスまでの距離が異なる場合でも、アタッチメント５０の位置の切り換えにより、解除ピン１２（１２Ａ、１２Ｂ）の先端のコネクタハウジング内への挿入深さを適正値に管理することができる。その結果、専用治具を用意しなくても、解除ピン１２を変形させたりランスを傷めたりすることなく、ランスによる端子の係止を解除することができる。
【００８５】
次に端子抜き取り作業が終了したら、アタッチメント５０を第３位置に移動して保持する。
図１８（ａ）〜（ｄ）は、本発明の第２実施形態の端子抜き取り治具のアタッチメントを第３位置（最前方位置）に保持した状態を示す図で、図１８（ａ）は斜視図、図１８（ｂ）は側面図、図１８（ｃ）は側断面図、図１８（ｄ）はそのとき治具本体の係止孔と係合するのが第３係止凸部であることを示す図である。
【００８６】
図１８（ａ）〜（ｄ）に示すように、アタッチメント５０を治具本体１０に対して、第２位置よりも更に前側の第３位置に移動（矢印Ｓ３方向への移動）すると、アタッチメント５０の最も後側の第３の係止凸部３８Ｃが治具本体１０の係止孔１８に係合する。これにより、治具本体１０とアタッチメント５０は第３位置に保持される。
【００８７】
この第３位置に保持されているとき、上述した（Ｂ）の条件（Ｑ１３＜Ｐ６）が満たされていることにより、解除ピン１２Ａ、１２Ｂの先端１５ａが、アタッチメント５０の前端面３５Ａより後側に位置する。つまり、解除ピン１２Ａ、１２Ｂの先端１５ａが、アタッチメント５０の内部に収容されて隠れる。
【００８８】
このように、アタッチメント５０を第３位置に位置させることで、解除ピン１２Ａ、１２Ｂの先端１５ａをアタッチメント５０の内部に収容することができる。しかも、その位置にアタッチメント５０を保持しておくことができる。従って、解除ピン１２Ａ、１２Ｂの先端１５ａを保護キャップなどで覆わなくても、アタッチメント５０で保護キャップの代わりをすることができ、安全確保が図れる。
【００８９】
なお、本発明は、上記実施形態に限定されるものではなく、本発明の目的が達成できる他の構成等を含み、以下に示すような変形等も本発明に含まれる。
【００９０】
例えば、上記実施形態では、アタッチメント３０、５０に係止凸部３８Ａ、３８Ｂ、３８Ｃが設けられ、治具本体１０に係止孔１８が設けられている場合を示したが、アタッチメント３０、５０側に係止凹部または係止孔が設けられ、治具本体１０側に係止凸部が設けられていてもよい。
【００９１】
また、上記実施形態では、第２位置を１箇所に定めているが、第２位置を複数設けることで、解除ピンの挿入深さの規制値を多段階に設定することができる。
【００９２】
ここで、上述した本発明に係る端子抜き取り治具の実施形態の特徴をそれぞれ以下［１］、［２］に簡潔に纏めて列記する。
［１］
コネクタハウジング（コネクタ２００）の内部に収容されてランスにより係止された端子を抜き取るために、前記コネクタハウジング（コネクタ２００）の前方から前記ランスに向けて挿入され、先端（１５ａ）で前記ランスによる端子の係止を解除する解除ピン（１２、１２Ａ、１２Ｂ）と、前記解除ピン（１２、１２Ａ、１２Ｂ）の長さ方向の途中に、該解除ピン（１２、１２Ａ、１２Ｂ）の前記コネクタハウジング（コネクタ２００）への挿入時に前記コネクタハウジング（コネクタ２００）に当たることで前記解除ピン（１２、１２Ａ、１２Ｂ）の先端（１５ａ）の前記コネクタハウジング（コネクタ２００）内への挿入深さを規制する挿入規制部（段部１６）と、を有する治具本体（１０）と、
前記治具本体（１０）に着脱可能に且つ前記治具本体（１０）における第１位置と該第１位置より前記治具本体（１０）の先端側に位置する第２位置との間で移動可能に装着され、前記第１位置にあるとき前端（３５Ａ）が前記解除ピン（１２、１２Ａ、１２Ｂ）の挿入規制部（段部１６）と同位置かそれより後方に位置し、前記第２位置にあるとき前端（３５Ａ）が前記治具本体（１０）の挿入規制部（段部１６）より前方に位置し、前記第２位置にある状態で前記解除ピン（１２、１２Ａ、１２Ｂ）の先端（１５ａ）が前記コネクタハウジング（コネクタ２００）に挿入されたとき、前記前端（３５Ａ）が前記コネクタハウジング（コネクタ２００）に当たることで前記解除ピン（１２、１２Ａ、１２Ｂ）の先端（１５ａ）のコネクタハウジング（コネクタ２００）内への挿入深さを規制するアタッチメント（３０、５０）と、
前記アタッチメント（３０、５０）と前記治具本体（１０）との間に設けられ、前記アタッチメント（３０、５０）が前記第１位置にあるときおよび前記第２位置にあるとき、該アタッチメント（３０、５０）を前記治具本体（１０）にそれぞれ係止可能な第１係止手段（第１の係止凸部３８Ａ、係止孔１８）および第２係止手段（第２の係止凸部３８Ｂ、係止孔１８）と、
を備えることを特徴とする端子抜き取り治具（１、２）。
［２］
上記［１］に記載の端子抜き取り治具であって、
前記アタッチメント（５０）が、前記治具本体（１０）における前記第２位置よりも前方の第３位置へ移動可能に設けられ、
前記第３位置は、前記アタッチメント（５０）が該第３位置にあるときに、該アタッチメント（５０）の内部に前記解除ピン（１２、１２Ａ、１２Ｂ）の先端（１５ａ）を収容する位置として設定され、
さらに前記アタッチメント（５０）と前記治具本体（１０）の間に、前記アタッチメント（５０）が前記第３位置にあるとき、該アタッチメント（５０）を前記治具本体（１０）に係止可能な第３係止手段（第３の係止凸部３８Ｃ、係止孔１８）が設けられている、
ことを特徴とする端子抜き取り治具（２）。
【符号の説明】
【００９３】
１，２  端子抜き取り治具
１０  治具本体
１２，１２Ａ，１２Ｂ  解除ピン
１５ａ  先端
１６  段部（挿入規制部）
１８  係止孔（第１〜第３の係止手段）
３０，５０  アタッチメント
３５Ａ  前端面（前端）
３８Ａ  第１の係止凸部（第１の係止手段）
３８Ｂ  第２の係止凸部（第２の係止手段）
３８Ｃ  第３の係止凸部（第３の係止手段）
２００  コネクタ（コネクタハウジング）
【図１】
2019114363.tif 000003
【図２】
2019114363.tif 000004
【図３】
2019114363.tif 000005
【図４】
2019114363.tif 000006
【図５】
2019114363.tif 000007
【図６】
2019114363.tif 000008
【図７】
2019114363.tif 000009
【図８】
2019114363.tif 000010
【図９】
2019114363.tif 000011
【図１０】
2019114363.tif 000012
【図１１】
2019114363.tif 000013
【図１２】
2019114363.tif 000014
【図１３】
2019114363.tif 000015
【図１４】
2019114363.tif 000016
【図１５】
2019114363.tif 000017
【図１６】
2019114363.tif 000018
【図１７】
2019114363.tif 000019
【図１８】
2019114363.tif 000020
【図１９】
2019114363.tif 000021